(57)【特許請求の範囲】
【請求項１】
外部周辺装置を使用する携帯消費者電子装置であって、
前記携帯消費者電子装置に電力を供給する内部電力回路と、
１つ以上の外部周辺装置に対してデータを出力するかあるいはデータを受信する内部データ回路と、
外部電力周辺装置を前記電力回路に接続しかつ外部データ周辺装置を前記データ回路に接続する共有コネクタと、を含み、
前記コネクタは、
外部電力周辺装置を前記電力回路に接続しかつ外部データ周辺装置を前記データ回路に接続する第１の共有接点と、
前記携帯消費者電子装置の接地に接続する第２の接点と、
を含む携帯消費者電子装置。
【請求項２】
請求項１に記載の携帯消費者電子装置であって、前記データ回路はオーディオ回路とビデオ回路の少なくとも一方を含む携帯消費者電子装置。
【請求項３】
請求項１に記載の携帯消費者電子装置であって、前記電力回路はバッテリ充電回路を含む携帯消費者電子装置。
【請求項４】
請求項１に記載の携帯消費者電子装置であって、前記コネクタはバレル・プラグを受入れるバレル・ジャックを含み、前記第１の接点は前記バレル・プラグの第１の接続に接続するようにされ、前記第２の接点は前記バレル・プラグの第２の接続に接続するようにされている携帯消費者電子装置。
【請求項５】
請求項１に記載の携帯消費者電子装置であって、前記コネクタはオーディオ・プラグを受入れるオーディオ・ジャックを含み、前記第１の接点は前記オーディオ・プラグの第１のセグメントに接続するようにされ、前記第２の接点は前記オーディオ・プラグの第２のセグメントに接続するようにされている携帯消費者電子装置。
【請求項６】
請求項１に記載の携帯消費者電子装置であって、前記データ回路は直流阻止回路を介して前記第１の接点に接続される携帯消費者電子装置。
【請求項７】
請求項１に記載の携帯消費者電子装置であって、さらに、前記第１の接点を前記電力回路に第１の構成で接続し、かつ前記第１の接点を前記データ回路に第２の構成で接続する選択スイッチを有する選択回路を含む携帯消費者電子装置。
【請求項８】
請求項７に記載の携帯消費者電子装置であって、前記選択回路は前記第２の接点を前記電力回路に前記第１の構成で接続し、かつ前記第２の接点を前記データ回路に前記第２の構成で接続する携帯消費者電子装置。
【請求項９】
請求項７に記載の携帯消費者電子装置であって、さらに、前記選択回路を前記コネクタの１つ以上の接点の信号状態感知に基づいて制御する制御回路を含む携帯消費者電子装置。
【請求項１０】
請求項９に記載の携帯消費者電子装置であって、前記コネクタは、さらに、前記制御回路に接続された第３の接点を含み、前記制御回路は前記第３の接点上の信号状態を感知する携帯消費者電子装置。
【請求項１１】
請求項９に記載の携帯消費者電子装置であって、前記信号状態は前記コネクタの前記１つ以上の接点上の電気的開路または電気的短絡を含む携帯消費者電子装置。
【請求項１２】
請求項９に記載の携帯消費者電子装置であって、前記信号状態は前記コネクタを介して前記電子装置に取り付けられる周辺装置の信号特性を含む携帯消費者電子装置。
【請求項１３】
請求項１２に記載の携帯消費者電子装置であって、前記制御回路は前記信号特性を直流信号および交流信号の一方として感知する携帯消費者電子装置。
【請求項１４】
請求項１に記載の携帯消費者電子装置であって、前記コネクタは、さらに、前記データ回路に接続する第３の接点および第４の接点の少なくとも一方を含む携帯消費者電子装置。
【請求項１５】
請求項１に記載の携帯消費者電子装置であって、前記携帯消費者電子装置は移動通信装置を含む携帯消費者電子装置。
【請求項１６】
請求項１に記載の携帯消費者電子装置であって、前記携帯消費者電子装置は移動通信装置を含み前記データ回路はオーディオ回路を含み、前記オーディオ回路は前記第１のコネクタに接続されてオーディオ周辺装置を前記コネクタを介して前記移動通信装置に接続する携帯消費者電子装置。
【請求項１７】
請求項１に記載の携帯消費者電子装置であって、さらに、選択回路および制御回路を含み、前記制御回路は前記コネクタの１つ以上の接点の信号状態の感知に基づいて制御信号を発生し、前記選択回路は前記制御信号に基づいて前記第１の接点を前記電力回路および前記データ回路の少なくとも一方に選択的に接続する携帯消費者電子装置。
【請求項１８】
請求項１に記載の携帯消費者電子装置であって、前記データ回路はオーディオ回路を含み、前記オーディオ回路は前記第１の接点に接続されてオーディオ周辺装置を前記コネクタを介して前記携帯消費者電子装置に接続する携帯消費者電子装置。
【請求項１９】
請求項１８に記載の携帯消費者電子装置であって、前記電力回路は電力管理回路を含み、前記電力管理回路は前記第１の接点に接続されて電力周辺装置を前記コネクタを介して前記移動通信装置に接続する携帯消費者電子装置。
【請求項２０】
請求項１に記載の携帯消費者電子装置であって、前記データ回路はオーディオ回路を含み、前記コネクタはオーディオ周辺装置を前記オーディオ回路に接続する携帯消費者電子装置。
【請求項２１】
電力およびデータ周辺装置の両方に接続する携帯消費者電子装置に必要な外部コネクタ数を減少させる方法であって、前記方法は、
少なくとも１つの共有接点を有し電力およびデータ周辺装置の両方からの共通タイプ噛合いプラグを受け入れる外部共有コネクタを前記携帯消費者電子装置内に設けるステップと、
前記共通コネクタの前記少なくとも１つの共有接点を前記携帯消費者電子装置内の電力およびデータ回路の両方に接続するステップと、
を含む方法。
【請求項２２】
請求項２１に記載の方法であって、前記接続ステップは前記共有接点を直流阻止回路を介して前記データ回路に接続するステップを含む方法。
【請求項２３】
請求項２１に記載の方法であって、前記接続ステップは、さらに、前記共有コネクタを介して前記携帯消費者電子装置に接続される周辺装置のタイプの感知に基づいて、前記共有コネクタの前記少なくとも１つの共有接点を前記電力回路または前記データ回路に選択的に接続するステップを含む方法。
【請求項２４】
請求項２３に記載の方法であって、さらに、前記共有コネクタを介して前記携帯消費者電子装置に接続される周辺装置のタイプの感知に基づいて、前記共通共有コネクタの第２の接点を前記電力回路または前記データ回路の接地に選択的に接続するステップを含む方法。
【請求項２５】
請求項２３に記載の方法であって、前記携帯消費者電子装置に接続される周辺装置のタイプの感知は前記共有コネクタの１つ以上の接点の信号状態の感知を含む方法。
【請求項２６】
請求項２３に記載の方法であって、前記携帯消費者電子装置に接続される周辺装置のタイプの感知は前記共有コネクタの１つ以上の接点の直流信号および交流信号の一方の感知を含む方法。
【請求項２７】
請求項２３に記載の方法であって、前記携帯消費者電子装置に接続される周辺装置のタイプの感知は前記共有コネクタの１つ以上の接点の電気的開路または電気的短絡の感知を含む方法。
【発明の詳細な説明】
【技術分野】
【０００１】
（技術分野）
本発明はパーソナル電子装置に関し、特に、単一コネクタ内で電力およびデータ接続を結合する多機能コネクタに関する。
【背景技術】
【０００２】
（発明の背景）
移動電話機、ポータブル・デジタル・アシスタンツ（ＰＤＡ）、ＭＰ３プレーヤ、等のパーソナル電子装置が次第に普及しつつあるのは一部それらの小型携帯性によるものである。過去１０年間にわたって電子装置のサイズは著しく縮小されたにもかかわらず、消費者は次第に小型化する電子装置をいまだに要求している。この要求に取り組むために、メーカは電子装置のサイズを縮小するための新しい方法の研究に毎年相当な資源を費やしている。
【０００３】
コネクタはパーソナル電子装置の全体サイズに著しく寄与する。したがって、サイズ縮小の努力はしばしばコネクタのサイズ縮小および／または数の減少に注意が向けられる。たとえば、パーソナル電子装置のサイズを縮小するために“システム”コネクタを使用することができる。システム・コネクタは多様なコネクタの機能性を単一のマルチピン・コネクタへと統合する。
【０００４】
しかしながら、システム・コネクタには欠点がある。たとえば、システム・コネクタは典型的に各メーカおよび／またはモデルに専有である。その結果、システム・コネクタはメーカにとってよりコストがかかることが多く、電子装置周辺装置の相互接続を複雑にする。定められたタイプのシステム・コネクタと互換性のある周辺装置は電子装置メーカにより提供される周辺装置だけであることが多い。
【発明の開示】
【発明が解決しようとする課題】
【０００５】
システム・コネクタの制約により、パーソナル電子装置は典型的にオーディオおよび充電周辺装置等の共通周辺装置用補助産業標準ジャックを含んでいる。共通オーディオおよび充電周辺装置は、それぞれ、産業標準オーディオおよびバレル・ジャックと互換性のある産業標準オーディオおよびバレル・プラグを使用する。その結果、パーソナル電子装置ユーザは、ヘッドセット、ハンズフリー・アダプタ、バッテリ充電器、等の多様な共通周辺装置を自分達の電子装置で使用することができる。しかしながら、各ジャックはパーソナル電子装置内に相当なスペースを必要とする。たとえば、１個のオーディオ・ジャック（オーディオ周辺装置用）および１個のバレル・ジャック（充電周辺装置用）を含めることにより移動電話機のサイズは７％よりも多く増加することがある。したがって、パーソナル電子装置に産業標準オーディオおよび充電ジャックを設けると広範な周辺装置との互換性が保証されるが、パーソナル電子装置のサイズは望ましくない増加をする。
【課題を解決するための手段】
【０００６】
（発明の概要）
本発明は少なくとも１つの共有機能接点を含む単一の標準コネクタ内でオーディオその他のデータを電力と結合する方法および装置を含んでいる。典型的な実施例では、移動電話機等のパーソナル電子装置は電力およびデータ機能の両方に使用される少なくとも１つの共有接点を有する共有機能ジャックを含んでいる。当業者ならば、本発明はコンピュータ、パーソナル・データ・アシスタンツ、ＭＰ３プレーヤ、等の他の電子装置にも応用できることがお判りであろう。好ましくは、共有機能ジャックは、パーソナル電子装置内で広く使用される標準化オーディオまたはバレル・ジャックの一つ等の、産業標準形式ジャックである。ここで使用される“データ”という用語は、オーディオ信号、ビデオ信号、等を含むアナログ・データだけでなくデジタル・データも含むことを理解しなければならない。
【０００７】
典型的な応用において、共有機能ジャックは少なくとも２つの接点を含み、これらの接点の少なくとも１つはデータおよび電力機能の両方に対して構成される。この構成により、第１の接点は接地接点として働き第２の接点はデータ回路および電力回路用共有機能接点として働き、その両方がパーソナル電子装置内に含まれる。
【０００８】
共有機能接点は電力およびデータ回路に直接または間接的に接続することができる。たとえば、第１の典型的な実施例では、電力およびデータ回路は共有機能ジャック上の１つ以上の共有接点に直接接続する。この構成により、直流阻止を使用して直流電力信号をデータ回路から阻止することができる。さらに、フィルタリングを使用することにより、コネクタ内の共有接点に電力およびデータ信号を同時に加えられるようにしながら、データ信号、たとえば、交流信号が電力回路と干渉するのを防止することができる。ここで使用される“交流”という用語は時間変化信号を意味し、オーディオ、ビデオ、等を含む。
【０００９】
第２の典型的な実施例では、スイッチが共有接点をデータ回路または電力回路に交互に接続することができる。たとえば、スイッチは交流データ信号を感知したらデータ回路に、直流電力信号を感知したら電力回路に共有接点を接続することができる。あるいは、スイッチは特定のコネクタ構成を感知したら電力またはデータ回路に共有接点を接続することができる。
【００１０】
本発明に従って、ヘッドセット、充電器等の周辺装置は全てパーソナル電子装置内に含まれる共有機能と共に使用する、オーディオ・プラグまたはバレル・プラグ等の、同じ標準プラグを使用することができる。当業者ならば、本発明は他の標準コネクタでも実現できることがお判りであろう。
【実施例】
【００１１】
（発明の詳細な説明）
たとえば、移動電話機その他のパーソナル電子装置における結合された電力およびデータ接続を提供する典型的なコンビネーション電力およびデータ・ジャックについて以下に説明する。前記したように、多機能コネクタはパーソナル電子装置のサイズおよびコストに影響を及ぼす。本発明のコンビネーション電力およびデータ・ジャックは電子装置内のコネクタ・ジャック数を減らすことにより電子装置のサイズおよびコストを低減することができる。さらに、共有機能ジャックが産業標準オーディオまたはバレル・ジャックのような標準化されたジャックであれば、電子装置は広範な標準周辺装置と互換性を有することができる。
【００１２】
次に、図面を参照して、図１に従来の移動電話機１０を従来のヘッドセット５０および充電器７０と共に示す。ヘッドセット５０はスピーカ５２およびマイクロホン５４を含んでいる。ヘッドセット５０のコードは移動電話機１０の対応するオーディオ・ジャック１２へ差し込むオーディオ・プラグ６０内で終端する。充電器７０は従来の壁コンセント内へ差し込むプラグ７４付き直流／交流アダプタ７２を含んでいる。充電器７０のコードは移動電話機１０内の対応するバレル・ジャック１８内へ差し込むバレル・プラグ８０内で終端する。充電器７０は“壁”型充電器として例示されているが、当業者ならば充電器７０は直流／直流オートアダプタ等の任意他の既知の構成でもよいことがお判りであろう。前記したように、別々の標準化されたジャック１２，１８を使用すると、移動電話機のサイズおよびコストは望ましくない増加をする。
【００１３】
図２Ａおよび２Ｂはオーディオ・プラグ６０およびオーディオ・ジャック１２をより詳細に示す。オーディオ・プラグ６０はスリーブ６２、リング６４、およびチップ６６の３セグメントを有する標準３接点オーディオ・プラグである。従来のヘッドセット５０に対して、チップ６６はマイクロホン５４に電気的に接続され、リング６４はスピーカ５２に電気的に接続され、スリーブ６２は周辺接地５５に電気的に接続される。オーディオ・ジャック１２は対応する接点１４ａ，１４ｂ，および１６を含んでいる。オーディオ・プラグ６０がオーディオ・ジャック１２内に差し込まれると、チップ６６はジャック１２のオーディオ接点１４ｂに接続され、リング６４は接点１４ｂａ接続され、スリーブ６２は接地接点１６接続される。
【００１４】
図３Ａおよび３Ｂはバレル・プラグ８０およびバレル・ジャック１８を示す。バレル・プラグ８０は典型的に充電器７０内の電力回路に接続される外部接点８２および内部接点８４を含んでいる。バレル・ジャック１８は対応する接点２０および２２を含んでいる。２接点バレル・プラグ８０が２接点バレル・ジャック１８に差し込まれると、外部接点８２は接地接点２２に接続され内部接点８４は電力接点２０に接続される。
【００１５】
あるいは、図４Ａおよび４Ｂに示すように、充電周辺装置７０は３接点バレル・プラグ８０を使用することができる。３接点バレル・プラグ８０は、典型的にプラグのバレル内に同軸に中心を定めた追加ピン接点８６を含んでいる。２接点バレル・コネクタとの接続の他に、ピン８６がスプリング接点２４に接続もしくは噛み合う。ピン接点８６は、たとえば、充電器７０が移動電話機１０に差し込まれることを移動電話機１０に示すための制御ピンとして働くことができる。たとえば、スプリング接点２４はジャック１８になにも差し込まれない時は閉ループ回路として作用することができる。バレル・プラグ８０がバレル・ジャック１８に差し込まれると、ピン８６はスプリング接点２４のエレメントを分離する。ピン８６が導電性であれば、ピン８６は閉ループ回路を有効に維持する。ピン８６が非導電性であれば、スプリング接点２４は実際上開ループ回路である。移動電話機１０内の回路はスプリング接点２４の状態を検出して電力周辺装置がジャック１８に差し込まれることを確認することができる。
【００１６】
図５は移動電話機１０または他のパーソナル電子装置に対する従来の回路を示す。この回路は電力回路３０、オーディオ回路４０、バレル・ジャック１８およびオーディオ・ジャック１２を含んでいる。図５に示すように、オーディオ・ジャック１２とオーディオ回路４０間の相互接続はバレル・ジャック１８と電力回路３０間の相互接続から独立している。従来技術でよく知られた他の従来の移動電話機コンポーネントおよび相互接続は、ここで検討される本発明を理解するのに重要ではない。したがって、判り易くするために、これらのコンポーネントおよび相互接続は図示されない。
【００１７】
本発明はデータと電力の両方に対して単一ジャックを設けることにより、移動電話機１１（図６）等の、改良型パーソナル電子装置内で使用されるコネクタ数を減らすものである。この実施例において、“データ回路”４０はデータの転送および／または受信に関わる移動電話機１００内の回路を意味する。このような回路は通信信号、オーディオ信号、ビデオ信号、等の転送および／または受信に責任のある通信回路、オーディオ回路、ビデオ回路、等を含むことができる。また、この実施例において、電力回路３０はバッテリ充電回路等の電力管理回路を含んでいる。
【００１８】
図６は電力回路３０、データ回路４０、および共有機能ジャック１３０を含む本発明に従った典型的な回路を示す。この回路は移動電話機１００または他のパーソナル電子装置の一部を含むことができる。ジャック１３０は図２Ａおよび２Ｂに示すような従来のオーディオ・プラグ６０、または図４Ａおよび４Ｂに示すようなバレル・プラグ８０を受け入れるようにすることができる。ジャック１３０は共有電力／データ接点１３２、接地接点１３４、およびデータ接点１３６を含んでいる。接地接点１３４はデータおよび電力接地３４および４６に接続する。共有電力／オーディオ接点１３２は電力回路３０の電力接続３２およびデータ回路４０の第１のデータ接続４２に接続する。第２のデータ接点１３６はデータ回路４０の第２のデータ接続４４に接続する。
【００１９】
ジャック１３０はヘッドセット等のデータ周辺装置と充電器等の電力周辺装置の両方からプラグを受け入れるようにされている。充電器または他の電力アダプタ等の電力周辺装置がジャック１３０に差し込まれると、キャパシタ４８は直流電力がデータ回路４０に達することを阻止する。必要ならば、電力回路３０は共有電力／オーディオ接点１３２上に存在する任意の交流（ａｃ）信号が電力回路３０と干渉するのを防止するフィルタ（図示せず）を含むことができる。
【００２０】
図７Ａは制御回路１２０および選択回路１１０を含む本発明に従ったもう１つの典型的な回路を示す。ある実施例では、制御回路１２０が選択回路１１０を内蔵することができる。制御回路１２０はジャック１３０内の１つ以上の接点の信号状態の感知に基づいて選択回路１１０を制御する。したがって、制御回路１２０はジャック１３０に差し込まれる周辺装置のタイプ（たとえば、ヘッドセット、バッテリ充電器、電力アダプタ、等）に応じて選択回路１１０を構成することができる。特に、一実施例では、制御回路１２０は共有電力／オーディオ接点１３２上の交流および直流信号を感知して選択回路１１０を制御する制御信号を発生する。もう１つの典型的な実施例では、制御回路１２０は１つ以上の接点の短絡または開路を感知することができる。
【００２１】
選択回路１１０は共有電力／オーディオ接点１３２および接地接点１３０を電力回路３０またはデータ回路４０に交互に接続する選択スイッチ１１２を含んでいる。選択スイッチ１１２は電気的、機械的、光電子的、または任意他のスイッチング手段とすることができる。第１の構成において、選択スイッチ１１２は共有電力／オーディオ接点１３２を電力回路３０の電力接続３２に接続し、接地接点１３４を電力接地３４に接続する。第２の構成において、選択スイッチ１１２は共有電力／オーディオ接点１３２をデータ回路４０の第１のオーディオ接続４２に接続し、接地接点１３４をオーディオ接地４６に接続する。
【００２２】
図７Ｂは４接点ジャックを使用する本発明に従ったもう１つの典型的な回路を示す。４接点ジャックは図７Ａの３接点ジャックと本質的に同じであるが、第３のデータまたは制御接点１４２が追加されている。一実施例では、第３のオーディオ接点１４２がデータ回路４０の第３のオーディオ入力４８に接続する。追加オーディオ接点１４２を設けることにより、オーディオ入力（たとえば、マイクロホン）とステレオ出力の両方が許される。
【００２３】
図８Ａおよび８Ｂに典型的な制御回路１２０をより詳細に示す。制御回路１２０は感知回路１２２および制御論理１２６を含んでいる。感知回路１２２は共有電力／オーディオ接点１３２上の信号タイプおよび／またはレベルを検出する。典型的な一実施例では、感知回路１２２は電圧基準に接続された第１の入力および共有電力／オーディオ接点１３２に接続された第２の入力を有する比較器を含んでいる。比較器出力は感知回路１２２の出力に接続されている。共有電力／オーディオ接点１３２上に直流信号が存在する場合、感知回路１２２への出力１２４はロー信号である。共有電力／オーディオ接点１３２上に交流信号が存在する場合、感知回路１２２の出力１２４はハイ信号である。感知回路１２２の出力１２４は制御論理１２６に加えられ、それは感知回路１２２の出力１２４に応答して選択回路１１０に対する制御信号を発生する。もちろん、図８Ｂに示す感知回路は一つの信号感知方法にすぎず、単なる例として示されている。
【００２４】
図９Ａおよび９Ｂに示す本発明のもう１つの実施例では、コネクタ構成は制御回路１２０に信号タイプを示すことができる。たとえば、ジャック１３０はピン８６がスプリング接点１３６の素子を電気的に分離する時に開ループ回路を形成するスプリング接点１３６付きバレル・ジャックを含むことができる。開ループ回路は、たとえば、充電器７０または直流アダプタが移動電話機１００に差し込まれることを表示することができる。あるいは、スプリング接点１３６はピン８６が接点１３６を接点１３６’に電気的に接続する時に閉ループ回路を形成することができる。閉ループ回路はオーディオ、ビデオ、その他のデータ周辺装置が移動電話機１００に差し込まれることを表示することができる。次に、制御回路１２０はスプリング接点回路１３６および１３６’の状態に応答して選択回路１１０に対する制御信号を発生する。
【００２５】
ある実施例では、データ接地を電力接地から分離するのが有利である。図７Ａ，７Ｂおよび９Ａに示すように、選択回路１１０は接地接点１３４を電力回路３０上の電力接地接点３４またはデータ回路４０上のデータ接地接点４６に選択的に接続することができる。しかしながら、当業者ならば接地接点１３４はデータ回路４０および電力回路３０の両方に直接接続できることがお判りであろう。
【００２６】
本発明は単一標準プラグがオーディオ装置と電力装置の両方に使用されて、単一ジャックを改良型移動電話機１００または他のパーソナル電子装置で使用できるようにするものである。プラグはオーディオ・プラグまたはバレル・プラグ、または任意他の既知タイプのプラグを含むことができる。図１０Ａおよび１０Ｂは本発明で使用できる典型的なプラグを示す。図１０Ａは外部接点８２、内部接点８４、およびピン８６を含む典型的な３接点バレル・コネクタを示す。本発明の３接点バレル・ジャック１３０に差し込まれると、外部接点８２は接地接点１３４に接続され、内部接点８４は共有電力／オーディオ接点１３２に接続され、ピン８６はスプリング接点１３６と噛み合う。当業者ならば、さまざまな他の構成も本発明で使用できることがお判りであろう。たとえば、共有電力／オーディオ接点はピン８６とすることができる。バレル・ジャック１３０に差し込まれる周辺装置のタイプに応じて、バレル・ジャック１３０の共有電力／オーディオ接点１３２上の信号は電力信号、オーディオ信号等のデータ信号、または電力およびデータ信号とすることができる。単一スピーカおよびマイクロホン付きヘッドセット等のオーディオ周辺装置内でプラグ８０が使用される時は、外部接点８２は接地に接続され、内部接点８４はスピーカに接続され、ピン８６はマイクロホンに接続されることがある。ヘッドセットがマイクロホンを含まずに２個のスピーカを有する時は、ピン８６は一方のスピーカに接続され内部接点８４は他方のスピーカに接続されることがある。バッテリ充電器その他の電力周辺装置で使用される時は、プラグの外部接点８２は接地に接続され内部接点８４は電力に接続されることがある。
【００２７】
図１０Ｂはスリーブ６２、リング６４、およびチップ６６を含む典型的な３接点オーディオ・コネクタ６０を示す。３接点オーディオ・ジャック１４０に差し込まれると、スリーブ６２は接地接点１３４に接続され、リングは共有電力／オーディオ接点１３２に接続され、チップ６６は第２のオーディオ接点１３６に接続される。ここでも、オーディオ・ジャック１４０に差し込まれる器具のタイプに応じて、オーディオ・ジャック１４０の共有電力／オーディオ接点１３２上の信号は電力信号、オーディオ信号等のデータ信号、または電力およびデータ信号とすることができる。
【００２８】
単一スピーカおよびマイクロホン付きヘッドセット等のオーディオ周辺装置内でプラグ６０が使用される時は、スリーブ６２は接地に接続され、リング６４はスピーカに接続され、ピンチップ６６はマイクロホンに接続されることがある。ヘッドセットがマイクロホンを含まずに２個のスピーカを有する時は、チップ６６は一方のスピーカに接続されリング６４は他方のスピーカに接続されることがある。
【００２９】
プラグ６０がバッテリ充電器その他の電力周辺装置で使用される時は、プラグ６０のスリーブ６２は接地に接続され、リング６４は電力に接続されることがある。チップ６６はいかなる信号も運ばないことがある。当業者ならば、前記した接続は単なる例にすぎないことがお判りであろう。他の実施例は、ピン等の、コネクタ上の任意の接点を共有電力／オーディオ接点として使用することができる。
【００３０】
当業者ならば、本発明はコネクタ接点数を限定しないことがお判りであろう。たとえば、図１１は第２のリング６８を有する図１０Ｂの３接点オーディオプラグと本質的に同じ典型的な４接点オーディオプラグ６０を示す。図１１のプラグ６０は、たとえば、２個のスピーカと１個のマイクロホンを有するヘッドセット内で使用することができる。リング６８は一方のスピーカに接続することができリング６４は他方のスピーカに接続することができる。３接点コネクタと同様に、オーディオジャック１４０の共有電力／オーディオ接点１３２は電力信号、オーディオ信号等のデータ信号、または電力およびデータ信号を第１のリング６４から受信するように動作する。さらに、第２のリング６８は第２のスピーカへのオーディオ信号等の第２のデータ信号を受信するように動作する第２のオーディオ接点１４２に接続する。
【００３１】
本発明に従って、ヘッドセット１５０および／または充電器１５２および１５４等の多数の共通周辺装置は移動電話機１００または他のパーソナル電子装置の単一ジャックと互換性のあるものとすることができる。移動電話機１００は図１２に示すような標準オーディオ・ジャック１４０を含むことができる。あるいは、図１３に示すように、移動電話機１００は標準バレル・プラグ８０を使用する、ヘッドセット１６０および／または充電器１６２および１６４等の、複数の共通周辺装置と互換性のあるバレル・ジャック１３０を含むことができる。
【００３２】
前記した説明および図面は本発明の典型的な実施例を詳細に記述しかつ例示している。当業者ならば、本発明は標準オーディオまたはバレル・コネクタに限定されないことがお判りであろう。また、当業者ならば本発明のコネクタは２つ以上の多機能接点を含むことができることがお判りであろう。したがって、本発明は添付特許請求の範囲の意味および同等範囲内に入る全ての変更および修正を含むものとする。
【図面の簡単な説明】
【００３３】
【図１】オーディオおよび充電周辺装置を有する従来の移動電話機を示す図である。
【図２ａ】従来の３接点オーディオ・プラグを示す図である。
【図２ｂ】３接点オーディオ・ジャックとの３接点オーディオ・プラグの従来の相互接続を示す図である。
【図３ａ】従来の２接点バレル・プラグを示す図である。
【図３ｂ】２接点バレル・ジャックとの２接点バレル・プラグの従来の相互接続を示す図である。
【図４ａ】従来の３接点バレル・プラグを示す図である。
【図４ｂ】２接点バレル・ジャックとの３接点バレル・プラグの従来の相互接続を示す図である。
【図５】オーディオ回路とオーディオ・ジャックおよび電力回路とバレル・ジャック間の従来の相互接続を示す図である。
【図６】３接点ジャックと電力およびデータ回路間の典型的な相互接続を示す図である。
【図７ａ】３接点ジャックと電力およびデータ回路間の、制御およびスイッチング回路を含む、もう１つの典型的な相互接続を示す図である。
【図７ｂ】４接点ジャックと電力およびデータ回路間の、制御およびスイッチング回路を含む、典型的な相互接続を示す図である。
【図８ａ】典型的な制御回路を示す図である。
【図８ｂ】図７ａの制御回路の典型的な感知回路を示す図である。
【図９ａ】３接点ジャックと電力およびデータ回路間の、制御およびスイッチング回路を含む、もう１つの典型的な相互接続を示す図である。
【図９ｂ】もう１つの典型的な感知方式を示す図である。
【図１０ａ】３接点バレル・プラグと３接点バレル・ジャック間の典型的な相互接続を示す図である。
【図１０ｂ】３接点オーディオ・プラグと３接点オーディオ・ジャック間の典型的な相互接続を示す図である。
【図１１】４接点オーディオ・プラグと４接点オーディオ・ジャック間の典型的な相互接続を示す図である。
【図１２】オーディオプラグを有するオーディオおよび充電周辺装置に接続するオーディオ・ジャックを含む典型的な移動電話機を示す図である。
【図１３】バレル・プラグを有するオーディオおよび充電周辺装置に接続するバレル・ジャックを含む典型的な移動電話機を示す図である。
【図１】
0004406610.tif 000002
【図２Ａ】
0004406610.tif 000003
【図２Ｂ】
0004406610.tif 000004
【図３Ａ】
0004406610.tif 000005
【図３Ｂ】
0004406610.tif 000006
【図４Ａ】
0004406610.tif 000007
【図４Ｂ】
0004406610.tif 000008
【図５】
0004406610.tif 000009
【図６】
0004406610.tif 000010
【図７Ａ】
0004406610.tif 000011
【図７Ｂ】
0004406610.tif 000012
【図８Ａ】
0004406610.tif 000013
【図８Ｂ】
0004406610.tif 000014
【図９Ａ】
0004406610.tif 000015
【図９Ｂ】
0004406610.tif 000016
【図１０Ａ】
0004406610.tif 000017
【図１０Ｂ】
0004406610.tif 000018
【図１１】
0004406610.tif 000019
【図１２】
0004406610.tif 000020
【図１３】
0004406610.tif 000021